(57)【要約】      （修正有）【課題】多種多様に及ぶ理美容室における多量な在庫のカラーリング剤の在庫管理がしやすい天吊スライド式チューブストッカーを提供する。【解決手段】天吊スライド式チューブストッカーは、スライドレールと、スライドレールのスライド部分に取り付けられたプレートと、複数のチューブタイプのカラー剤取付用にプレートに吊り下げられた複数のクリップと、を有する。新品の在庫と使用途中の在庫の保管管理が別々となり、スライドレールのスライドにより管理しやすくレールを追加することで飛躍的に効率的な作業が可能となる。【選択図】図１
0003231373.tif 000002
【実用新案登録請求の範囲】
【請求項１】
理美容室における使用途中のカラーリング１剤の保管方法における補助器具
【請求項２】
スライドレールによる視認性と効率化をはかった器具
【請求項３】
スライドレールに取り付けられた、一定間隔に穴の開いたプレートによるズレやよれが生じにくい構造の器具
【請求項４】
一定間隔の穴からリングとクリップにより安定してカラーリング１剤の保管を可能するための器具
【考案の詳細な説明】
【技術分野】
【０００１】理美容室におけるチューブ式カラーリングの保管補助器具
【背景技術】
【０００２】現在、使用しているチューブタイプのカラー剤の使用途中の残液の保管の方法がなく元のケースに戻しての再利用が定説でした、その為使用途中の在庫があるにも関わらず新たなるカラー剤を出してしまったため在庫の重複等が起きていました【０００３】使用後のカラーリング１剤と未使用のカラーリング１剤が同位置に保管されることにより管理が難しくなっていました【０００４】昨今の老若男女のカラーリングに求める色、明度、刺激性の有無等に対応する為、各理美容室における在庫の数は多く数社のカラーリングメーカーと取引している理美容室が大半です、多いところでは数十社のメーカー、１００種類以上のカラーリング１剤を管理している状況です
【先行技術文献】
【特許文献】
【０００４】
【特許文献１】実登  ３２１０６１７号
【考案の概要】
【考案が解決しようとする課題】
【０００５】多数のカラーリング１剤の在庫と使用途中の薬剤の保管場所を分離することによる在庫の管理方法をしやすくすること【０００６】視認性を高め、同一カラーリング剤の重複在庫をなくすこと【０００７】従来、探すことへの時間の無駄を減らし仕事の効率化を図ること
【課題を解決するための手段】
【０００８】上記の課題を解決するための請求項１記載の考案は在庫のカラーリング剤と使用途中のカラーリング剤の保管場所を補助器具を使用することにより、別々の空間に保管することで解決できました【０００９】上記の課題を解決するための請求項２記載の考案は補助的器具を使用し天井面から吊り下げスライドする事により視認性がよくなり効率性がよくなりました【００１０】上記の課題を解決するための請求項３記載の考案はスライド式時に吊り下げられた使用途中のカラーリング１剤が一定の間隔に配置されることによりズレや偏りがなく、視認性がよく効率性が上がりました【００１１】上記の課題を解決するための請求項４記載の考案はプレートから吊り下げられた、リングとクリップにより使用途中のカラーリング１剤の形状の安定と加重が軽減されました
【考案の効果】
【００１２】在庫を分けることにより無駄な在庫を抱えることがなく管理しやすく解決した【００１３】天井から釣られスライドで引き出すことでカラーリング剤の位置が確認しやすく効率的になり解決した【００１４】各メーカー、各種多数のカラーリング剤の管理がしやすくなった、スライドレールに取り付けられたプレートの穴の個数やリングとクリップの個数により使用途中のカラーリング１剤の管理がしやすくなった
【図面の簡単な説明】
【図１】スライドレールに取り付けられたプレート、リング、クリップが収納されている状態  スライドレールの長さは吊り天井の長さ、伸縮性、効率性で変更可能
【図２】上記、図１からスライドされた状態、スライドレール自体の長さ幅はカラーリング１剤の形状、大きさ、重量によりサイズは多種に変更可能である、検証では幅１５ｍｍ長さ３１５ｍｍ最大長さ５５０ｍｍ重量５ｋｇのスライドレールを使用、左右に伸縮するため両面から取り出しが可能
【図３】プレートに穴が開いた様子、穴の数により吊り下げのカラーリング１剤の数量の変更にも対応、プレート部分は上部レールと一体化のスチール製が最適である  スライドレールのプレート穴、強度、安定性のため小さめが望ましい、穴の数は狭すぎると視認性にかけるため最低でも２０ｍｍ間隔を推奨する
【図４】リング、クリップともに装着時の図面  リングの大きさはリングがクリップの動きを妨げない大きさ、丸もしくは楕円形が望ましい
【図５】スライドレールにクリップなど装備した状態、ステンレス製品が見た目的に望ましいがローラーピンチ等も使用には適しています  クリップの形状、大きさはカラー剤のサイズにより変更可能、横３０ｍｍ未満、縦４５ｍｍ未満が望ましい
【図６】スライドレール縦方向から見た図面、プレートは中心に取り付けるのが最良である  プレートの形状上、もしくはスライドレールの形状上、中心よりずれる場合、天吊部分の強度を強くすることが望ましい
【考案を実施するための形態】
【実施例】
【００１６】請求項１を実施した時の具体例、使用途中のカラーリング１剤を天吊上にすることにより新品の在庫と使用途中のカラーリング１剤の分割収納が可能となった【００１７】請求項２を実施した時の具体例、スライドすることにより視認性がよくなり使用予定のカラーリング１剤が探しやすくなった【００１８】請求項３、４を実施した時の具体例、ズレやよれがなく視認性がよく、使用途中のカラーリング１剤の管理がしやすくなりダブりがなくなり探しやすく効率的に作業が可能になった
【図１】
0003231373.tif 000003
【図２】
0003231373.tif 000004
【図３】
0003231373.tif 000005
【図４】
0003231373.tif 000006
【図５】
0003231373.tif 000007
【図６】
0003231373.tif 000008
【手続補正書】
【提出日】令和2年10月29日(2020.10.29)
【手続補正１】
【補正対象書類名】実用新案登録請求の範囲
【補正対象項目名】全文
【補正方法】変更
【補正の内容】
【実用新案登録請求の範囲】
【請求項１】
スライドレールにプレート状の金具を取り付けプレートには等間隔の穴があけられその穴にリングとクリップを取り付けたものを特徴とする器具  天井部分もしくは天板部分に取り付けることにより前後もしくは左右にスライドする器具  クリップより吊り下げられた使用途中のカラーリング一剤をスライドしながら出し入れしながら保管を補助するカラーリング保管補助器具  天吊スライド式チューブストッカー。
【請求項２】
前記使用途中のカラーリング一剤の保管用の器具はスライドレールと同等の長さのプレートを備えたことが特徴でスライドレールの長短に合わせたプレートを取り付けることで様々なシチュエーションに対応する事を特徴とする請求項１記載のカラーリング保管補助器具  天吊スライド式チューブストッカー。
【請求項３】
前記使用途中のカラーリング一剤の保管用の器具はスライドレールに取り付けられたプレートに一定間隔の穴が空いていることが特徴の補助器具  吊り下げる物の大きさや重量により穴の間隔や穴の大きさにも対応を特徴とする請求項１記載のカラーリング保管補助器具  天吊スライド式チューブストッカー。
【請求項４】
前記使用途中のカラーリング一剤の保管用の器具はプレートの等間隔の穴にリング状の金具が装着されそのリングにクリップが吊るされていることを特徴とする補助器具クリップはローラーピンチにも対応を特徴とする請求項１記載のカラーリング保管補助器具  天吊スライド式チューブストッカー。
【手続補正書】
【提出日】令和3年1月8日(2021.1.8)
【手続補正１】
【補正対象書類名】実用新案登録請求の範囲
【補正対象項目名】全文
【補正方法】変更
【補正の内容】
【実用新案登録請求の範囲】
【請求項１】
スライドレールと、
前記スライドレールのスライド部分に取り付けられたプレートと、
複数のチューブタイプのカラー剤取付用に前記プレートに吊り下げられた複数のクリップと、を有することを特徴とする天吊スライド式チューブストッカー。
【請求項２】
前記プレートにはスライド方向に沿って一定の間隔を置いて複数の穴が形成されており、
前記クリップは前記プレートの前記穴にリングを介して吊り下げられていることを特徴とする請求項１に記載の天吊スライド式チューブストッカー。
【請求項３】
前記スライドレールの前記スライド部分及び前記プレートは、スライド方向と反対の方向にもスライドすることが可能であることを特徴とする請求項１又は請求項２に記載の天吊スライド式チューブストッカー。
【請求項４】
前記スライドレールの前記スライド部分と前記プレートとが一体であることを特徴とする請求項１から請求項３のいずれか一項に記載の天吊スライド式チューブストッカー。
【請求項５】
前記クリップはローラーピンチであることを特徴とする請求項１から請求項４のいずれか一項に記載の天吊スライド式チューブストッカー。